(57)【要約】      （修正有）【課題】使用者が容易に電気掃除機の二次電池に充電することができると共に、コードやプラグの破損の虞を軽減することができる電気掃除機を提供する。【解決手段】電気掃除機本体２と、この電気掃除機本体２に給電するための給電手段３を有する電気掃除機１であって、電気掃除機本体２に二次電池を内蔵すると共にプラグ受け７を設け、給電手段３のコード１０の先端にプラグ１１を設け、プラグ受け７に受電端子及び吸着片を設け、プラグ１１に給電端子及びマグネット部材を設けたことで、磁力によって前記マグネット部材を前記吸着片に吸着させて、軽量なプラグ１１をプラグ受け７に装着して保持すると同時に、前記給電端子と受電端子を電気的に接続することができるので、容易に前記二次電池を充電することができる。【選択図】図１
0003173005.tif 000002
【実用新案登録請求の範囲】
【請求項１】
二次電池を内蔵し、プラグ受けを設けた電気掃除機本体と、この電気掃除機本体に給電するための給電手段を有し、この給電手段が、コードと、このコードの先端に設けられたプラグとを有し、前記プラグ受けに受電端子を設け、前記プラグに給電端子を設けた電気掃除機において、
前記プラグ受け又は前記プラグの何れか一方に、磁力によって接続状態を保持するためのマグネット部材を設けると共に、前記プラグ受け又はプラグの他方に、前記マグネット部材に吸着する吸着片を設けたことを特徴とする電気掃除機。
【請求項２】
前記プラグ受けを、前記電気掃除機本体の床用吸込具に設けたことを特徴とする請求項１に記載の電気掃除機。
【請求項３】
前記プラグ受けを、前記床用吸込具の上方に露出して設けたことを特徴とする請求項２に記載の電気掃除機。
【考案の詳細な説明】
【技術分野】
【０００１】
本考案は、二次電池を内蔵する充電式の電気掃除機に関するものである。
【背景技術】
【０００２】
従来、この種の電気掃除機は、掃除機本体を充電台に装着し、本体の端子板（本願発明の受電端子に相当する）と充電台の端子板（本願発明の給電端子に相当する）とを電気的に接続させることによって、充電用電池（本願発明の二次電池に相当する）の充電を行うものが知られている（例えば、特許文献１参照）。また、蓄電池（本願発明の二次電池に相当する）を内蔵する掃除機本体に設けられたプラグコネクタ（本願発明のプラグ受けに相当する）に、コードの一端に設けられたプラグコネクタ（本願発明のプラグに相当する）を接続し、コードの他端に設けられた電源プラグを電源コンセントに接続することによって、蓄電池の充電を行うものも知られている（例えば、特許文献２参照）。
【先行技術文献】
【特許文献】
【０００３】
【特許文献１】特開平４−３６１７２７号公報
【特許文献２】特開平１０−１２７５４１号公報
【考案の概要】
【考案が解決しようとする課題】
【０００４】
しかしながら、特許文献１に記載したような電気掃除機は、前記掃除機本体を充電台に装着する際に、前記掃除機本体を持ち上げながら、この掃除機本体の端子板を前記充電台の端子板と接続させなければならないので、前記掃除機本体が重い場合、使用者にとってこの掃除機本体を持ち上げるだけでも重労働となる。また、特許文献２に記載したような電気掃除機は、前記掃除機本体を倒したり、使用者がコードに足を引っ掛けたりすること等により、このコードが引っ張られた場合、コードやプラグコネクタ等に負荷がかかり、断線してしまう虞がある。
【０００５】
本考案は以上の問題点を解決し、使用者が容易に電気掃除機の二次電池に充電することができると共に、コードやプラグの破損の虞を軽減することができる電気掃除機を提供することを目的とする。
【課題を解決するための手段】
【０００６】
本考案の請求項１に記載の電気掃除機は、二次電池を内蔵し、プラグ受けを設けた電気掃除機本体と、この電気掃除機本体に給電するための給電手段を有し、この給電手段が、コードと、このコードの先端に設けられたプラグとを有し、前記プラグ受けに受電端子を設け、前記プラグに給電端子を設けた電気掃除機において、前記プラグ受け又は前記プラグの何れか一方に、磁力によって接続状態を保持するためのマグネット部材を設けると共に、前記プラグ受け又はプラグの他方に、前記マグネット部材に吸着する吸着片を設けたものである。
【０００７】
また、本考案の請求項２に記載の電気掃除機は、請求項１において、前記プラグ受けを、前記電気掃除機本体の床用吸込具に設けたものである。
【０００８】
また、本考案の請求項３に記載の電気掃除機は、請求項２において、前記プラグ受けを、前記床用吸込具の上方に露出させて設けたものである。
【考案の効果】
【０００９】
本考案の請求項１に記載の電気掃除機は、以上のように構成することにより、磁力によって軽量なプラグをプラグ受けに装着することで、使用者の肉体的な負担をほとんど伴わず、容易に電気掃除機の二次電池を充電することができる。また、磁力によって前記プラグとプラグ受けが接続された状態で、前記電気掃除機本体を倒したり、使用者がコードに足を引っ掛けたりしても、磁力で保持されていた前記プラグが容易に前記プラグ受けから外れるため、前記コードやプラグの破損を抑制することができる。
【００１０】
なお、前記プラグ受けを、前記電気掃除機本体の床用吸込具に設けると、前記プラグが前記プラグ受けに接続された状態において、前記コードを床面に接するか又は床面近くに配置することができるため、使用者が前記コードに足を引っ掛けにくくすることができる。
【００１１】
また、前記プラグ受けを、前記床用吸込具の上方に露出させて設けると、前記プラグ受けの位置を使用者が視認できるので、使用者は前記プラグをプラグ受けに確実且つ容易に接続して、電気掃除機の二次電池を充電することができる。
【図面の簡単な説明】
【００１２】
【図１】本考案の一実施形態を示す電気掃除機の外観斜視図である。
【図２】同、プラグ受けにプラグを接続した際の概略右側面図である。
【図３】同、プラグ受けにプラグを接続した際の概略平面図である。
【図４】同、プラグの概略底面図である。
【図５】同、プラグ受けの概略平面図である。
【図６】同、Ａ−Ａ断面図である。
【図７】同、Ｂ−Ｂ断面図である。
【図８】同、プラグをプラグ受けに対し上下方向に着脱する場合を示す説明図である。
【図９】同、プラグをプラグ受けに対し前後方向に着脱する場合を示す説明図である。
【図１０】同、プラグをプラグ受けに対し斜め方向に着脱する場合を示す説明図である。
【図１１】同、プラグをプラグ受けに対し回動させて着脱する場合を示す説明図である。
【図１２】同、回路のブロック図である。
【考案を実施するための形態】
【００１３】
以下、本発明の実施形態について、図１乃至図１２に基づいて説明する。なお、以下の説明において、図２及び図６乃至図１１の左側が前、右側が後である。また、図１、図２及び図６乃至図１１における上下は、実際の上下となる。１は本考案の電気掃除機である。この電気掃除機１は、電気掃除機本体２と、この電気掃除機本体２に電力を供給するための給電手段３とを有して構成される。前記電気掃除機本体２は、本体部４と、この本体部４に対し着脱可能に取り付けられる集塵部５と、前記本体部４に対して可動に取り付けられる床用吸込具６とを有して構成される。そして、前記床用吸込具６には、プラグ受け７が設けられる。また、前記電気掃除機本体２の本体部４には、二次電池８と電動機９とが内蔵される。前記給電手段３は、コード１０と、このコード１０の一端に設けられたプラグ１１と、前記コード１０の他端に設けられたＡＣアダプタ１２とを有して構成される。
【００１４】
前記プラグ受け７について詳述する。このプラグ受け７は、前記床用吸込具６の外殻体１３に形成された凹部１４に設けられる。この凹部１４は、上方及び後方が開放すると共に、後方斜め上も開放する。即ち、前記プラグ受け７は、前記床用吸込具６の上方に露出して設けられる。また、前記凹部１４の垂直な第一面１５には、上方及び後方が開放した一対の溝部１６が垂直方向で且つ平行に形成され、これらの溝部１６内において、吸着片１７が後方に露出する。なお、前記溝部１６同士の間隔はＰ１である。一方、前記凹部１４の水平な第二面１８には、一対の貫通孔１９が形成され、これらの貫通孔１９を通って、一対の受電端子２０の接点部２０Ａが、それぞれ前記第二面１８の上方に突出する。なお、前記受電端子２０の接点部２０Ａ同士の間隔はＰ２である。また、前記受電端子２０の接点部２０Ａは、前記第二面１８よりも上方に突出するので、平面視で露出するばかりでなく、背面視でも露出する。
【００１５】
一方、前記プラグ１１は、その筐体２１の前面２２に一対の貫通孔２３が形成される。また、前記筐体２１の下面２４の前部から前記前面２２の下部にかけて、一対の凹部２５が形成されると共に、これらの凹部２５に、それぞれ貫通孔２６が形成される。従って、前記凹部２５は、下方及び前方に開放する。なお、前記前面２２と下面２４は、ほぼ直交する。そして、前記貫通孔２３から、一対の導磁片２７が突出する。なお、これらの導磁片２７同士の間隔はＰ３であり、前記溝部１６同士の間隔Ｐ１とほぼ等しい。更に、これらの導磁片２７の間には、マグネット２８が磁気結合する。そして、一対の前記導磁片２７とマグネット２８によって、マグネット部材２９が構成される。一方、前記貫通孔２６から突出して、一対の給電端子３０が設けられる。なお、前記給電端子３０の接点部３０Ａ同士の間隔はＰ４であり、前記受電端子２０の接点部２０Ａ同士の間隔Ｐ２とほぼ等しい。また、前記給電端子３０は、弾性変形可能に構成される。そして、この給電端子３０の接点部３０Ａは、前記凹部２５内に位置する。なお、前述した通り、前記凹部２５が下方及び前方に開放するので、前記給電端子３０の接点部３０Ａは、底面視で露出するばかりでなく、正面視でも露出する。そして、図６及び図７に示すように、前記溝部１６に前記マグネット部材２９の導磁片２７を挿入して、その下部を前記吸着片１７の上部に吸着させると、前記給電端子３０の接点部３０Ａが、前記凹部２５に入った受電端子２０の接点部２０Ａに押されて弾性変形することで、前記給電端子３０の接点部３０Ａが前記受電端子２０の接点部２０Ａに圧接して電気的に接続される。
【００１６】
なお、図１２において、３１は制御回路、３２は前記二次電池８の充電を行うための充電回路、３３は前記電動機９を駆動するための駆動回路、３４は電源回路である。また、３５はスイッチである。更に、３６は交流電源である。
【００１７】
次に、本実施形態の作用について説明する。まず、前記プラグ１１を前記プラグ受け７に取り付ける場合について説明する。なお、前述した通り、前記凹部１４の上方及び後方が開放していることにより、前記プラグ１１は、図８乃至図１０に示すように、前記プラグ受け７の上方からでも後方からでも後方斜め上からでも、前記凹部１４に挿入して前記床用吸込具６に取り付けることができる。また、前記プラグ１１は、図１１に示すように、回動させるようにして前記床用吸込具６に取り付けることもできる。更に、前述した通り、前記プラグ受け７が前記床用吸込具６の上方に露出して設けられるため、使用者は、前記プラグ１１をプラグ受け７に装着する際、このプラグ受け７を視認することができるので、前記プラグ１１をプラグ受け７に対し、確実且つ容易に接続することができる。
【００１８】
前記プラグ１１を前記床用吸込具６の上方から前記プラグ受け７に取り付ける場合、前記プラグ１１の下面２４が前記床用吸込口６の凹部１４の第二面１８と対向するようにして、図８に示すように、前記プラグ１１を下方に移動させる。そして、前記プラグ１１を下方に移動させると、前記マグネット部材２９の導磁片２７は、前記溝部１６に上方から挿入される。また、前記給電端子３０の接点部３０Ａは、前記受電端子２０の接点部２０Ａと当接する。そして、更に前記プラグ１１を下方に移動させると、前記給電端子３０は、前記受電端子２０に押されて弾性変形する。即ち、前記給電端子３０の接点部３０Ａは、前記受電端子２０の接点部２０Ａに圧接して、前記受電端子２０と電気的に良好に接続される。そして、更に前記プラグ１１を下方に移動させると、前記溝部１６に挿入された導磁片２７は、前記溝部１６内において露出した前記吸着片１７に吸着する。そして、前記導磁片２７が吸着片１７に吸着することで、前記プラグ１１は前記床用吸込具６のプラグ受け７に保持される。
【００１９】
前記プラグ１１を前記床用吸込具６の後方から前記プラグ受け７に取り付ける場合、前記プラグ１１の前面２２が前記床用吸込口６の凹部１４の第一面１５と対向するようにして、図９に示すように、前記プラグ１１を前方に移動させる。そして、前記プラグ１１を前方に移動させると、前記給電端子３０の接点部３０Ａは、前記受電端子２０の接点部２０Ａと当接する。そして、更に前記プラグ１１を前方に移動させると、前記給電端子３０は前記受電端子２０に押されて弾性変形することで、前記受電端子２０の接点部２０Ａに圧接して、前記受電端子２０と電気的に良好に接続される。そして、更に前記プラグ１１を前方に移動させると、前記マグネット部材２９の導磁片２７は、前記溝部１６に後方から挿入され、この溝部１６内において露出した前記吸着片１７に吸着する。そして、前記導磁片２７が吸着片１７に吸着することで、前記プラグ１１は前記床用吸込具６のプラグ受け７に保持される。
【００２０】
前記プラグ１１を前記床用吸込具６の後方斜め上から前記プラグ受け７に取り付ける場合、前記プラグ１１の前面２２が前記床用吸込具６の凹部１４の第一面１５とほぼ平行になるようにすると共に、前記プラグ１１の下面２４が前記凹部１４の第二面１８とほぼ平行になるようにして、図１０に示すように、前記プラグ１１を前方斜め下に移動させる。そして、前記プラグ１１を前方斜め下に移動させると、前記マグネット部材２９の導磁片２７は、前記溝部１６に後方斜め上から挿入されると共に、前記給電端子３０の接点部３０Ａは、前記受電端子２０の接点部２０Ａと当接する。そして、更に前記プラグ１１を前方斜め下に移動させると、前記給電端子３０は、前記受電端子２０に押されて弾性変形することで、前記受電端子２０の接点部２０Ａに圧接して、前記受電端子２０と電気的に良好に接続される。そして、更に前記プラグ１１を前方斜め下に移動させると、前記マグネット部材２９の導磁片２７は、前記溝部１６内において露出した前記吸着片１７に吸着する。そして、前記導磁片２７が吸着片１７に吸着することで、前記プラグ１１は前記床用吸込具６のプラグ受け７に保持される。
【００２１】
前記プラグ１１を前記床用吸込具６の前記プラグ受け７に後方斜め上から回動させながら取り付ける場合、前記プラグ１１の前部が低くなるように、前記プラグ１１の前下部を前記床用吸込具６の凹部１４に挿入する。この状態から、図１１に示すように、前記プラグ１１の後部を下方に移動させるように回動させる。そして、このように前記プラグ１１を回動させると、前記マグネット部材２９の導磁片２７は、前記溝部１６に後方斜め上から挿入されると共に、前記給電端子３０の接点部３０Ａは、前記受電端子２０の接点部２０Ａと当接する。そして、更に前記プラグ１１を回動させると、前記給電端子３０は、前記受電端子２０に押されて弾性変形することで、前記受電端子２０の接点部２０Ａに圧接して、前記受電端子２０と電気的に良好に接続される。そして、更に前記プラグ１１を回動させると、前記マグネット部材２９の導磁片２７は、前記溝部１６内において露出した前記吸着片１７に吸着する。そして、前記導磁片２７が吸着片１７に吸着することで、前記プラグ１１は前記床用吸込具６のプラグ受け７に保持される。
【００２２】
このように、前記凹部１４が、上方と後方の二方向、及びこれらの方向の中間である後方斜め上に開放するので、前記プラグ１１を上方から後方にかけてのあらゆる方向から、直線的に、又は回動させながら前記凹部１４に挿入することができるので、前記プラグ１１を前記床用吸込具６に対し容易に取り付けることができる。なお、前記プラグ１１を床用吸込具６から取り外す場合は、上述した何れかの取付手順を逆に行えばよい。そして、何れの手順を用いても、前記プラグ１１を前記床用吸込具６から容易に取り外すことができる。
【００２３】
なお、前述した通り、前記プラグ１１が前記プラグ受け７に接続された状態で、前記マグネット部材２９を構成するマグネット２８の磁力によって、前記マグネット部材２９に前記吸着片１７が吸着されるため、前記プラグ１１とプラグ受け７との接続状態が保持される。そして、前記マグネット２８の磁力によって、前記プラグ１１とプラグ受け７の接続状態が保持されるので、前記コード１０が弛んでさえいれば、使用者が前記電気掃除機本体２を動かしても、前記プラグ１１は前記プラグ受け７から外れることがない。しかし、前記電気掃除機本体２を倒したり、使用者が前記コード１０に足を引っ掛けたりすることで、前記コード１０が引っ張られると、前記マグネット２８の磁力で保持されていた前記プラグ１１が容易に前記プラグ受け７から外れるため、前記コード１０やプラグ１１、或いは前記ＡＣアダプタ１２が破損する虞を軽減させることができる。更に、前記プラグ受け７を床に近い前記床用吸込具６に設けたことで、前記コード１０の位置を低くすることができるので、使用者は、前記コード１０に足を引っ掛けにくくすることができる。
【００２４】
そして、図１に示すように、前記ＡＣアダプタ１２が前記交流電源３６に接続された状態において、前記プラグ１１を前記プラグ受け７に接続することによって、図５に示すように、前記給電端子３０と受電端子２０とが電気的に接続する。そして、これらが電気的に接続されると、前記ＡＣアダプタ１２によって変換された直流電流が前記電気掃除機本体２に供給され、この電気掃除機本体２内に設けられた二次電池８が、前記充電回路３２によって充電される。なお、このように前記二次電池８に直流電流が供給されている状態では、前記スイッチ３５を操作したとしても、前記電動機９は作動しない。また、前記電動機９が作動した状態で、前記給電手段３によって直流電流を前記二次電池８に供給すると、前記電動機９は停止する。
【００２５】
以上のように、本考案は、電気掃除機本体２と、この電気掃除機本体２に給電するための給電手段３を有する電気掃除機１であって、前記電気掃除機本体２に二次電池８を内蔵すると共にプラグ受け７を設け、前記給電手段３のコード１０の先端にプラグ１１を設け、前記プラグ受け７に受電端子２０及び吸着片１７を設け、前記プラグ１１に給電端子３０及びマグネット部材２９を設けたことで、磁力によって前記マグネット部材２９を前記吸着片１７に吸着させて、軽量な前記プラグ１１を前記プラグ受け７に装着して保持すると同時に、前記給電端子３０と受電端子２０を電気的に接続することができるので、使用者の肉体的な負担を殆ど伴わず、容易に前記二次電池８を充電することができるばかりでなく、前記コード１０が引っ張られても、前記給電手段３の破損を抑制することができるものである。
【００２６】
また、本考案は、前記プラグ受け７を、前記電気掃除機本体２の床用吸込具６に設けることで、前記プラグ１１が前記プラグ受け７に接続された状態において、前記コード１０を床面に接するか又は床面近くに配置することができるので、使用者が前記コード１０に足を引っ掛けにくくすることができるものである。
【００２７】
更に、本考案は、前記プラグ受け７を前記床用吸込具６の上方に露出させて設けることで、前記プラグ受け７の位置を使用者が視認できるので、前記プラグ１１をプラグ受け７に確実且つ容易に接続して、前記二次電池８を充電することができるものである。
【００２８】
なお、本考案は以上の実施形態に限定されるものではなく、考案の要旨の範囲内で種々の変形実施が可能である。例えば、上記実施形態は、縦型電気掃除機であるが、横型電気掃除機であっても、手持ち型電気掃除機であっても良い。また、上記実施形態では、ＡＣアダプタを用いて交流電源から電気掃除機本体に直流電流を供給したが、交流電源から前記電気掃除機本体に交流電流を供給し、前記電気掃除機本体に内蔵された交流−直流変換器によって直流電流に変換するようにしても良い。また、上記実施形態では、プラグにマグネット部材を、プラグ受けに吸着片を設けたが、プラグに吸着片を、プラグ受けにマグネット部材を設けても良い。更に、上記実施形態では、前記プラグ受けを電気掃除機本体の床用吸込具に設けたが、電気掃除機本体の本体部に設けても良い。この場合、前記プラグ受けを前記本体部における低い位置に設けると共に、前記コードが前記プラグから下方に延びるようにすれば、前記コードを床に近接させることができるので、コードに足を引っ掛けにくくすることができる。
【符号の説明】
【００２９】
１  電気掃除機
２  電気掃除機本体
３  給電手段
６  床用吸込具
７  プラグ受け
８  二次電池
１０  コード
１１  プラグ
１７  吸着片
２０  受電端子
２９  マグネット部材
３０  給電端子
【図１】
0003173005.tif 000003
【図２】
0003173005.tif 000004
【図３】
0003173005.tif 000005
【図４】
0003173005.tif 000006
【図５】
0003173005.tif 000007
【図６】
0003173005.tif 000008
【図７】
0003173005.tif 000009
【図８】
0003173005.tif 000010
【図９】
0003173005.tif 000011
【図１０】
0003173005.tif 000012
【図１１】
0003173005.tif 000013
【図１２】
0003173005.tif 000014